(57)【特許請求の範囲】
【請求項１】
おむつの背側両側部に、側方に突出して取り付けられたファスニングテープを有し、前記ファスニングテープをおむつの腹側表面に止着することによっておむつを身体に装着するようにしたテープ式使い捨ておむつにおいて、
前記ファスニングテープは、背側両側部から側方に突出する基材と、おむつ外面側の面とおむつ内面側の面とを有するとともに、これらの面の間に挿通孔を有するループ状のシート部材とされ、前記おむつ内面側の面にフック要素を有し、前記基材を挿通させ該基材に沿って移動可能に設けられたフック材とからなり、
前記基材の先端部には、おむつ外面側の面に固定手段が備えられ、該基材及び／又は前記フック材に前記固定手段と係合する被固定手段が備えられ、前記フック材を貫通した部分の基材をおむつの外面側に折り返し、前記固定手段と被固定手段とを係合させることにより前記フック材が基材の所定位置に固定可能とされたことを特徴とするテープ式使い捨ておむつ。
【請求項２】
前記固定手段は、おむつ外面側に突出する突起とされ、前記被固定手段は、前記基材及び／又はフック材のおむつ幅方向に沿って設けられた前記突起が嵌合する複数の開孔とされている請求項１記載のテープ式使い捨ておむつ。
【請求項３】
前記固定手段及び被固定手段は、機械接合式の面ファスナーとされている請求項１記載のテープ式使い捨ておむつ。
【請求項４】
前記基材はおむつ両側部からの突出長さが７〜１０cm、前記フック材はおむつ幅方向長さが２〜３cmに形成されている請求項１〜３いずれかに記載のテープ式使い捨ておむつ。
【発明の詳細な説明】
【技術分野】
【０００１】
本発明は、ウエストの適用範囲を拡大し、サイズ調整を容易にしたテープ式使い捨ておむつに関する。
【背景技術】
【０００２】
従来より、市販されているテープ式使い捨ておむつは、例えば図１０に示すように、装着のためにおむつの後身頃の両側に、おむつ装着用のファスニングテープ５０，５０を備えるもので、使用に際してはおむつの前身頃および後身頃をそれぞれ着用者の身体に当てがった後、前記ファスニングテープ５０，５０を腹側に持ち込み、おむつ外面に固定されているポリエチレン等のプラスチック材料、不織布、トリコット等よりなるフロントターゲットテープ５１に止着しておむつを固定するようにしている。
【０００３】
このようなテープ式使い捨ておむつには、サイズ別に小児用、中人用、大人用などに大別できる。前記中人用おむつは、肢体不自由者や知的障害者などが小・中・高校生でも継続的におむつを使用する必要がある場合に、小児用の最大サイズでは小さすぎ、大人用の最小サイズでは大きすぎるために使用されている。
【０００４】
ところが、現状の中人用おむつは、市場での商品展開が小児用や大人用に比べて非常に少ないため、使用時のサイズ不適合による次のような問題が生じていた。おむつが大き過ぎる使用者では、ファスニングテープを腹側に持ち込んでフロントターゲットテープに止着する際、両側のファスニングテープ同士が重なる場合には、両者が重ならない程度に外側にずらして止着する結果、「隙間ができる、モレる」などの不具合があった。一方、おむつが小さすぎる使用者では、ファスニングテープを腹側に持ち込んでもフロントターゲットテープまで到達しないか、強引に腹側に引き寄せてもぎりぎりの位置でしか固定できないため、「圧迫しすぎる、跡つきが激しい」や「テープが外れやすい」などの不具合があった。
【０００５】
一方、下記特許文献１では、止着テープのうち少なくとも固定部から本体部にかけての部分に弾性伸縮部材が固定されており、この弾性伸縮部材のうち、固定部に位置する部分及び先端部に位置する部分は、非伸張状態で止着テープに接着固定されており、本体部に位置する部分は幅方向に伸長した状態で止着テープに接着固定されているテープ式使い捨ておむつが開示されている。
【０００６】
また、下記特許文献２には、紙おむつ本体の背側側縁部に１端が固定され、使用時には該本体の背側側縁部より他端のファスニング部を繰り出して紙おむつ本体の腹側のフロンタルテープに止着する左右対のファスニングテープを備えた紙おむつにおいて、上記のファスニングテープの紙おむつ本体の背側側縁部に固定された１端と他端のファスニング部との間にサイズ調整用延長部を設け、この延長部を折り込み状態で紙おむつ本体の背側側縁部外面に仮留めしたサイズ調整用ファスニングテープを備えた紙おむつが開示されている。
【先行技術文献】
【特許文献】
【０００７】
【特許文献１】特開２０１０−２２５５０号公報
【特許文献２】特開２００４−３２１２６９号公報
【発明の概要】
【発明が解決しようとする課題】
【０００８】
しかしながら、上記特許文献１記載の使い捨ておむつでは、脇部に伸縮材を採用することでサイズ調整をしやすくしたものであるが、この場合、脇部に伸縮材のテンションによる負担がかかりやすい。
【０００９】
また、上記特許文献２記載の紙おむつでは、ファスニングテープを折り込み状態と延長状態の少なくとも２段階に長さ調整可能であるが、３段階以上に調整可能とした場合には折り込み部の厚みが増すとともに、展開時に不要な粘着部が多くなることにより良好な装着の妨げになることが考えられる。また、使用時に使用者の動きや腹部の圧力によってファスニングテープの折り込み状態が解除するおそれがあった。
【００１０】
そこで本発明の主たる課題は、ウエストの適用範囲を拡大し、サイズ調整を容易にしたテープ式使い捨ておむつを提供することにある。
【課題を解決するための手段】
【００１１】
上記課題を解決するために請求項１に係る本発明として、おむつの背側両側部に、側方に突出して取り付けられたファスニングテープを有し、前記ファスニングテープをおむつの腹側表面に止着することによっておむつを身体に装着するようにしたテープ式使い捨ておむつにおいて、
前記ファスニングテープは、背側両側部から側方に突出する基材と、おむつ外面側の面とおむつ内面側の面とを有するとともに、これらの面の間に挿通孔を有するループ状のシート部材とされ、前記おむつ内面側の面にフック要素を有し、前記基材を挿通させ該基材に沿って移動可能に設けられたフック材とからなり、
前記基材の先端部には、おむつ外面側の面に固定手段が備えられ、該基材及び／又は前記フック材に前記固定手段と係合する被固定手段が備えられ、前記フック材を貫通した部分の基材をおむつの外面側に折り返し、前記固定手段と被固定手段とを係合させることにより前記フック材が基材の所定位置に固定可能とされたことを特徴とするテープ式使い捨ておむつが提供される。
【００１２】
上記請求項１記載の発明では、前記ファスニングテープとして、背側両側部から側方に突出する基材と、おむつ外面側の面とおむつ内面側の面とを有するとともに、これらの面の間に挿通孔を有するループ状のシート部材とされ、前記おむつ内面側の面にフック要素を有し、前記基材を挿通させ該基材に沿って移動可能に設けられたフック材とから構成ている。さらに、前記基材の先端部には、おむつ外面側の面に固定手段が備えられ、該基材及び／又は前記フック材に前記固定手段と係合する被固定手段が備えられ、前記フック材を貫通した部分の基材をおむつの外面側に折り返し、前記固定手段と被固定手段とを係合させることにより前記フック材が基材の所定位置に固定可能とされている。
【００１３】
この使い捨ておむつを装着するに当たっては、おむつが大き過ぎる使用者に対しては、前記フック材を基材の基端部側に移動し、前記フック材を貫通した部分の基材をおむつの外面側に折り返し、その先端部の固定手段を基材基端部の被固定手段に係合させる。これによって、ファスニングテープが短くなるため、ファスニングテープを腹側に持ち込んでも両側のファスニングテープ同士が重なるような事態が生じにくく、おむつを身体にフィットさせることができ、隙間やモレが防止できるようになる。一方、おむつが小さすぎる使用者に対しては、前記フック材を基材の先端側に移動し、前記フック材を貫通した部分の基材をおむつの外面側に折り返し、基材先端部の固定手段をフック材の被固定手段に係合させる。これによって、ファスニングテープが長くなるため、ファスニングテープを強引に腹側に引き寄せるようにしなくてもファスニングテープをフロントターゲットテープにしっかりと止着することができ、腹回りを圧迫せず、跡つきが抑えられ、且つテープの外れが防止できるようになる。このように、フック材を基材の所定位置に固定可能としてあるため、使用者のウエスト寸法に応じてファスニングテープの長さが自由に調整でき、ウエスト寸法の適用範囲を拡大することができるようになる。また、このときのサイズ調整は、前記フック材の位置を調整するだけなので、サイズ調整が容易となる。よって、おむつサイズの種類が少ない中人用などの使い捨ておむつにおいて、１サイズの適用範囲を拡げることができ、且つこのときのサイズ調整が容易となる。
【００１４】
請求項２に係る本発明として、前記固定手段は、おむつ外面側に突出する突起とされ、前記被固定手段は、前記基材及び／又はフック材のおむつ幅方向に沿って設けられた前記突起が嵌合する複数の開孔とされている請求項１記載のテープ式使い捨ておむつが提供される。
【００１５】
上記請求項２記載の発明は、前記フック材を基材に固定するための固定手段及び被固定手段の具体的な形態について規定したものであり、前記固定手段がおむつ外面側に突出する突起により構成され、前記被固定手段が前記基材及び／又はフック材のおむつ幅方向に沿って設けられた前記突起が嵌合する複数の開孔により構成するようにしたものである。これにより、フック材の固定に当たって、前記基材の前記フック材を貫通した部分をおむつ外面側に折り返し、この基材先端の突起を開孔に嵌合させるだけで、所定の位置でフック材を基材に固定することができ、おむつのサイズ調整が容易となる。
【００１６】
請求項３に係る本発明として、前記固定手段及び被固定手段は、機械接合式の面ファスナーとされている請求項１記載のテープ式使い捨ておむつが提供される。
【００１７】
上記請求項３記載の発明は、前記フック材を基材に固定するための固定手段及び被固定手段の他の形態について規定したものであり、固定手段及び被固定手段を機械接合式の面ファスナーとしたものである。これにより、フック材を基材の所定位置に簡単に固定できるようになる。
【００１８】
請求項４に係る本発明として、前記基材はおむつ両側部からの突出長さが７〜１０cm、前記フック材はおむつ幅方向長さが２〜３cmに形成されている請求項１〜３いずれかに記載のテープ式使い捨ておむつが提供される。
【００１９】
上記請求項４記載の発明では、前記基材としておむつ両側部からの突出長さを７〜１０cm、前記フック材としておむつ幅方向長さを２〜３cmで形成することにより、ウエストの適用範囲を十分に確保できるようにしてある。
【発明の効果】
【００２０】
以上詳説のとおり本発明によれば、ウエストの適用範囲を拡大し、サイズ調整を容易にしたテープ式使い捨ておむつが提供できるようになる。
【図面の簡単な説明】
【００２１】
【図１】本発明に係るテープ式使い捨ておむつ１の一部破断展開図である。
【図２】そのII−II線矢視図である。
【図３】ファスニングテープ１０部分の拡大図である。
【図４】図３のおむつ外面側からの斜視図である。
【図５】フック材２１を示す、(A)はおむつ表面側からの斜視図、(B)はおむつ外面側からの斜視図である。
【図６】ファスニングテープ１０の使用状態例（その１）を示す拡大図である。
【図７】ファスニングテープ１０の使用状態例（その２）を示す拡大図である。
【図８】おむつ１の装着状態例（その１）を示す斜視図である。
【図９】おむつ１の装着状態例（その２）を示す斜視図である。
【図１０】従来のテープ式使い捨ておむつの装着状態を示す斜視図である。
【発明を実施するための形態】
【００２２】
〔使い捨ておむつ構造〕
図１において、使い捨ておむつ１は、綿状パルプ等からなり、たとえば砂時計形状（または長方形状等）のある程度の剛性を有するとともに、クレープ紙５によって囲繞された吸収体４と、該吸収体４の表面側（使用面側）を覆うように配設された有孔または無孔の不織布や孔開きプラスチックシート等からなる透液性トップシート３と、前記吸収体の裏面側に配設され、少なくとも吸収体４の全面積を覆うように配設されたポリエチレン等からなる防漏シート６と、この防漏シート６の外面側（非肌当接面側）に設けられた不織布からなるとともに、おむつ外形を画成する外面バックシート２と、紙おむつの両側部に表面側に起立する立体ギャザーＢＳを形成するとともに、おむつ両側部では前記防漏シート６及びバックシート２と共にサイドフラップ部ＳＦを構成するためのサイド不織布７、７と、おむつ背側両側部に設けられた機械接合式のファスニングテープ１０，１０とから主に構成されている。また、紙おむつの腹部ウエスト部および背側ウエスト部では、前記外面バックシート２、防漏シート６および透液性トップシート３が共に延在し、吸収体４の存在しないエンドフラップ部ＥＦが形成されている。そして、着用者への密着性を向上させるため、おむつ背側の胴回りには外面バックシート２（防漏シート６を含む）にシート１４間に複数条の弾性伸縮部材１３、１３…が伸張状態で接着された伸縮性シート１２が貼着され、胴回り方向に沿って弾性伸縮力が与えられている。
【００２３】
装着に当たっては、図８及び図９に示されるように、紙おむつ１の前身頃および後身頃をそれぞれ着用者の身体に当てがった後、前記ファスニングテープ１０，１０を腹側に持ち込み、外面バックシート２の外面に設けられたフロントターゲットテープ１１に係合させて紙おむつを装着する。
【００２４】
以下、更に各構成について具体的に詳述すると、
前記吸収体４は、たとえばフラッフ状パルプと吸水性ポリマーとにより構成され、図示例では脚回りへの当たりを和らげるために両側部に夫々括れ部を有する略砂時計状とされる。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。図示例のように、吸収体４をクレープ紙５で囲繞する場合には、結果的に透液性表面シート３と吸収体４との間にクレープ紙が介在することになり、吸収性に優れる前記クレープ紙５によって体液を速やかに拡散させるとともに、尿等の逆戻りを防止するようになる。
【００２５】
前記透液性トップシート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアースルー法は嵩高でソフトである点で優れている。
【００２６】
前記防漏シート６は、ポリエチレンやポリプロピレン等のオレフィン系樹脂シートなどの少なくとも遮水性を有するシート材が用いられ、漏れを防止するために少なくとも吸収体４の全面積を覆う範囲に設置される。近年は、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００２７】
前記サイド不織布７としては、重要視する機能の点から撥水処理不織布または親水処理不織布を使用することができる。たとえば、尿等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、体液等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００２８】
前記透液性トップシート３は、吸収体４側縁よりも若干外方に突出し、前記防漏シート６と接合されている。前記サイド不織布７は、前記吸収体４の側縁部近傍よりも外側部分が外縁まで延び、前記防漏シート６及び外面バックシート２と接合され、この積層シート部分によってサイドフラップＳＦを構成している。
【００２９】
このサイドフラップ部ＳＦにおいては、紙おむつ長手方向に複数本、図示の例では２本の弾性伸縮部材８，８が配設され、平面ギャザーが形成されている。この平面ギャザーは、着用した際に紙おむつをきっちりと脚周りにて保持することにより、フィット性を向上させ紙おむつがずれるのを防止する。
【００３０】
他方、前記サイド不織布７の前記固着部よりも内方側の不織布シート部分によって表面側に起立する立体ギャザーＢＳが形成されている。この立体ギャザーＢＳは、吸収体４の側縁近傍位置に起立端を有し、その先端が紙おむつ長手方向に沿って二重に折り返され、この折り返し部の内方に１本の弾性伸縮部材９を、または必要により複数本の弾性伸縮部材を配設することにより、その伸縮力を利用して立体ギャザーＢＳを起立させるようになっている。
【００３１】
前記弾性伸縮部材８，９としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００３２】
前記サイド不織布７を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、エアスルー法、メルトブローン法、ニードルパンチ法等の適宜の加工方法又はこれらを複合した加工方法によりに得られた不織布を用いることができるが、特にサイドフラップ部ＳＦを構成する前記サイド不織布７は、ゴワ付き感を無くすとともに、ムレを防止するために、坪量を抑えて通気性に優れた不織布を用いるのがよい。
【００３３】
前記機械接合式のファスニングテープ１０は、プラスチック、ポリラミ不織布、不織布、紙等の基材２０の基部がおむつに接合されるとともに、前記基材２０の突出片部分には、表面側（透液性トップシート３側の面）にフック要素２２を有するフック材２１が取り付けられている。前記フック要素２２は、フック材２１に接着剤により剥離不能に接着されている。前記フック要素２２は、その外面に多数の係合片２２ａ、２２ａ…を有する。係合片２２ａの形状としては、例えばレ字状、Ｊ字状、マッシュルーム状、Ｔ字状等のものが存在するが、いずれの形状であってもよい。好ましいのはＴ字状のものである。前記ファスニングテープ１０は製品状態では、透液性トップシート３側に折り畳まれ、前記フック要素２１がサイド不織布７に対して剥離可能に接合された状態となっている。このファスニングテープ１０については、後段で詳細に説明する。
【００３４】
前記外面バックシート２としては不織布が用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、エアスルー法、スパンレース法、スパンボンド法、サーマルボンド法、メルトブローン法、ニードルパンチ法等の適宜の加工法によって得られた不織布を用いることができる。これらの不織布の中でも、不織布製造時にドラム搬送過程で加熱空気を送り繊維同士を熱融着させるエアスルー法により製造された不織布が好適に用いられる。前記エアスルー法は、高温空気の熱によって繊維同士を融着させるため、空間割合が高くふんわりとした感触と、嵩高であるなどの利点を有し、前記ファスニングテープ１０の係合力を向上させることができる。
【００３５】
〔ファスニングテープ１０について〕
前記ファスニングテープ１０は、詳細には図３及び図４に示されるように、背側両側部から側方に突出する前記基材２０と、おむつ外面面側の面とおむつ内面側の面とを有するとともに、これらの面の間に挿通孔を有するループ状のシート部材とされ、前記おむつ内面側の面にフック要素２２を有し、前記基材２０を挿通させ該基材２０に沿って移動可能に設けられたフック材２１とから構成されている。
【００３６】
前記フック材２１は、図５に示されるように、プラスチック、ポリラミ不織布、不織布、紙等の長方形のシート材２３をおむつ長手方向に折り返し、その折り返し端部同士をヒートシールなどによって接合部２３ａで接合してある。このフック材２１のうち、おむつ内面側の面のほぼ全面に前記フック要素２２が接合されている。
【００３７】
図３及び図４に示されるように、前記基材２０の先端部には、おむつ外面側の面に固定手段（おむつ外面側に突出する突起２４）が備えられている。また、前記基材２０及び／又はフック材２１には前記固定手段（突起２４）と係合する被固定手段（それぞれ開孔２５…、２６…）が備えられている。前記開孔２５は、基材２０の基端部寄りにおむつ幅方向に沿って複数、図示例では３個形成されている。前記開孔２６は、フック材２１のうち、おむつ外面側の面におむつ幅方向に沿って複数、図示例では３個形成されている。
【００３８】
前記フック材２１を基材２０に固定するには、前記フック材２１を所定の位置に移動し、前記フック材２１を貫通した部分の基材２０をおむつ外面側に折り返し、前記突起２４を開孔２５又は２６に挿入する。
【００３９】
本おむつ１を装着するに当たっては、おむつが大き過ぎる使用者（ウエストが細い使用者）に対しては、図６及び図８に示されるように、フック材２１を基材２０の基端部側に移動し、前記フック材２１を貫通した部分の基材２０をおむつ外面側に折り返し、その先端部の突起２４を基材基端部の開孔２５に挿入する。これにより、ファスニングテープ１０が短くなり、ファスニングテープ１０を腹側に持ち込んでも両側のファスニングテープ同士が重なってしまうような事態が生じにくく、おむつを身体にフィットさせた状態で装着することができ、隙間やモレが防止できるようになる。
【００４０】
一方、おむつが小さすぎる使用者（ウエストが太い使用者）に対しては、図７及び図９に示されるように、フック材２１を基材２０の先端側に移動し、前記フック材２１を貫通した部分の基材２０をおむつ外面側に折り返し、基材先端部の突起２４をフック材２１の開孔２６に挿入する。これにより、ファスニングテープ１０が長くなり、ファスニングテープ１０を強引に腹側に引き寄せるようにしなくてもファスニングテープ１０をフロントターゲットテープ１１にしっかりと止着することができ、腹回りを圧迫せず、跡つきが抑えられ、且つテープの外れが防止できるようになる。
【００４１】
この結果、フック材２１が基材２０に沿って移動可能に設けられ、且つ任意の位置で基材２０に対して固定可能としてあるため、使用者のウエスト寸法に応じてファスニングテープ１０の長さが自由に調整でき、ウエスト寸法の適用範囲を拡大することができるようになる。また、このときのサイズ調整は、前記フック材２１の固定位置を調整するだけなので、サイズ調整が容易となる。よって、おむつサイズの種類が少ない中人用などの使い捨ておむつにおいて、１サイズの適用範囲を拡げることができ、且つこのときのサイズ調整が容易となる。
【００４２】
更に、前記ファスニングテープ１０は、フック材２１のほぼ全面にフック要素２２が接合されるとともに、基材２０のフック材２１を貫通した部分がおむつ外面側に折り返されて使用されるため、従来のファスニングテープのようにテープ先端部から若干内側にフック要素が固定されたものと異なり、テープ先端部に摘み代が無くなるため、子供が着用中にファスニングテープ１０を剥がしてしまう可能性が低減する。また、肢体不自由者が腹部を下にして動くときにも、テープ先端部までフロントターゲットテープ１１に固定されているため、剥がれにくい構造となっている。
【００４３】
また、本ファスニングテープ１０では、フック材２１の固定位置を調整することによってテープの長さが調整可能とされるものであるので、従来のようにファスニングテープを複数段に折り込み、粘着剤で仮留めするものとは異なり、使用時に粘着剤の仮留めが解除され不意な拡がりが生じたり、ファスニングテープ展開時に仮留めの粘着剤が意図しない不要な部分にくっついたりすることが無くなる。
【００４４】
前記基材２０は、おむつ両側部からの突出長さを７〜１０cmとすることが好ましく、前記フック材２１は、おむつ幅方向長さを２〜３cmとすることが好ましいがこれに限るものではない。例えば、基材２０の突出長さを８cm、フック材２１のおむつ幅方向長さを３cmとしたとき、フック材２１は基材２０に沿って約４cm移動可能となり、おむつ１のウエスト寸法は３００mm〜４５０mmまで対応できるようになる。
【００４５】
前記突起２４は、プラスチック、金属などを直径２〜５mm、高さ３〜７mm程度に形成した円柱状又は円筒状の突起物である。この突起２４は、先端部をおむつ長手方向中心線側に折り曲げたフック状に形成したり、図３(B)に示されるように、先端をおむつ長手方向中心線側に傾斜させたりすることにより、前記開孔２５、２６に挿入した状態が良好に維持できるようになる。なお、基材２０の先端部に突起２４を形成することにより、フック材２１の脱落防止の効果もある。
【００４６】
なお、前記基材２０の素材は、両側のファスニングテープ１０、１０を腹側に持ち込んだ際、基材２０、２０同士が重なっても、一方の基材２０に他方のフック要素２２が固定できるよう、フック材が固定できる素材、例えば不織布とすることが好ましい。
【００４７】
〔他の形態例〕
(1)上記形態例では、基材２０のフック材２１を貫通した先端部に設けられる固定手段として突起２４が備えられ、基材２０及びフック材２１に設けられる被固定手段として開孔２５、２６が備えられるようにしたが、前記固定手段及び被固定手段として、機械接合式の面ファスナーとすることができる。
【符号の説明】
【００４８】
１…紙おむつ、２…外面バックシート、３…透液性トップシート、４…吸収体、５…クレープ紙、６…防漏シート、７…サイド不織布、８・９・１３…弾性伸縮部材、１０…ファスニングテープ、１１…フロントターゲットテープ、１２…伸縮性シート、１４…基材シート、２０…基材、２１…フック材、２２…フック要素、２３…シート材、２４…突起、２５・２６…開孔
【図１】
0005514679.tif 000002
【図２】
0005514679.tif 000003
【図３】
0005514679.tif 000004
【図４】
0005514679.tif 000005
【図５】
0005514679.tif 000006
【図６】
0005514679.tif 000007
【図７】
0005514679.tif 000008
【図８】
0005514679.tif 000009
【図９】
0005514679.tif 000010
【図１０】
0005514679.tif 000011